(57)【特許請求の範囲】
【請求項１】
垂直方向および水平方向の両方に複数のディスプレイを並べて構成され、上記複数のディスプレイによって構成されるマルチディスプレイ画面に１つの表示映像を表示可能なマルチディスプレイ装置であって、
上記表示映像を上記マルチディスプレイ画面における垂直方向および水平方向の少なくとも一方向に画面一杯に拡大表示した際に、他方の方向において無映像表示領域が生じるか否かを判断し、
さらに、上記無映像表示領域が生じる場合には、上記表示映像の表示位置を変更することで表示映像の存在しない無映像表示ディスプレイが生じるか否かを判断し、
上記無映像表示ディスプレイが生じる場合には、上記表示映像の表示位置を変更して上記無映像表示ディスプレイを生じさせ、その無映像表示ディスプレイを省電力モードとすることを特徴とするマルチディスプレイ装置。
【請求項２】
上記無映像表示領域が生じる場合であって、上記表示映像の表示位置を変更しても上記無映像表示ディスプレイが生じない場合には、
さらに、上記表示映像をその縦横比を維持しながら縮小し、その縮小した上記表示映像の表示位置を変更して上記無映像表示ディスプレイを生じさせ、その無映像表示ディスプレイを省電力モードとすることを特徴とする請求項１に記載のマルチディスプレイ装置。
【請求項３】
垂直方向および水平方向の両方に複数のディスプレイを並べて構成され、上記複数のディスプレイによって構成されるマルチディスプレイ画面に１つの表示映像を表示可能なマルチディスプレイ装置の表示制御方法であって、
上記表示映像を上記マルチディスプレイ画面における垂直方向および水平方向の少なくとも一方向に画面一杯に拡大表示した際に、他方の方向において無映像表示領域が生じるか否かを判断する第１の工程と、
さらに、上記無映像表示領域が生じる場合には、上記表示映像の表示位置を変更することで表示映像の存在しない無映像表示ディスプレイが生じるか否かを判断する第２の工程と、
上記無映像表示ディスプレイが生じる場合には、上記表示映像の表示位置を変更して上記無映像表示ディスプレイを生じさせ、その無映像表示ディスプレイを省電力モードとする第３の工程を有することを特徴とするマルチディスプレイ装置の表示制御方法。
【請求項４】
上記第２の工程において、上記無映像表示領域が生じる場合であって、上記表示映像の表示位置を変更しても上記無映像表示ディスプレイが生じない場合には、
さらに、上記表示映像をその縦横比を維持しながら縮小し、その縮小した上記表示映像の表示位置を変更して上記無映像表示ディスプレイを生じさせ、その無映像表示ディスプレイを省電力モードとする第４の工程を有することを特徴とする請求項３に記載のマルチディスプレイ装置の表示制御方法。
【発明の詳細な説明】
【技術分野】
【０００１】
本発明は、複数のディスプレイで１つの表示データを表示するマルチディスプレイ装置に関する。
【背景技術】
【０００２】
４×４や、５×５などの複数のディスプレイで１つの表示データを表示するマルチディスプレイ環境が知られている。このようなマルチディスプレイ環境で、１つの映像を複数のディスプレイにわたって表示する場合、マルチディスプレイ全体の縦横比率が映像の縦横比率に合っていれば、ディスプレイ側での非表示部分が発生せず、全てのディスプレイの画面を使った表示が行われる。
【０００３】
例えば、１つのディスプレイの横サイズと縦サイズの比率が１６：９であり、縦に４つ、横に４つ並べたマルチディスプレイ装置とした場合、映像信号のサイズが横１６、縦９の比率であれば、映像信号の縦横比率とマルチディスプレイ全体の縦横比率とが一致する（図２５（ａ）参照）。
【０００４】
一方、映像信号の縦横比率が４：３であった場合には、上記マルチディスプレイ装置に映像信号を表示すると、左右に表示に寄与しない部分が生じていた（図２５（ｂ）参照）。また、映像信号の縦横比率が１６：９より横長だった場合（例えばシネマスコープサイズ等）には、画面の上下に表示に寄与しない部分が生じていた（図２５（ｃ）参照）。
【０００５】
特許文献１では、コンピュータに接続された複数のディスプレイに跨って表示されるウインドウをできるだけなくすように、コンピュータの映像を複数のディスプレイを用いて表示する際に、ウインドウの表示位置を調整して一つのディスプレイで表示することが提案されている。
【先行技術文献】
【特許文献】
【０００６】
【特許文献１】特開２００６−２５１４６５号公報（２００６年９月２１日公開）
【発明の概要】
【発明が解決しようとする課題】
【０００７】
しかしながら、上述のような従来技術は、映像信号の縦横比率がマルチディスプレイ全体の縦横比率と一致しない場合、表示に寄与しない無表示の部分が多くなる。この場合、画面の一部しか用いない一部のディスプレイも、表示画面全体に映像を表示しているディスプレイも同じように電力を消費してしまうという問題がある。
【０００８】
また、特許文献１では、机上に複数のディスプレイを並べて配置し、これらの複数のディスプレイをあたかも１つの画面として用いる場合、表示されるウインドウが複数のディスプレイに分断されることを避けるために、表示位置をずらす方法が提案されている。しかしながら、この技術は、あくまでユーザの視認性および操作性の向上を目的とするものであって、ウインドウ表示に寄与しないディスプレイの電力消費を削減するものではない。
【０００９】
本願発明は、上記の課題に鑑みてなされたものであり、複数のディスプレイで１つの表示データを表示するマルチディスプレイ装置において、映像信号の縦横比率がマルチディスプレイ全体の縦横比率と一致しない場合に、電力消費を抑えることを目的としている。
【課題を解決するための手段】
【００１０】
上記の課題を解決するために、本発明は、垂直方向および水平方向の両方に複数のディスプレイを並べて構成され、上記複数のディスプレイによって構成されるマルチディスプレイ画面に１つの表示映像を表示可能なマルチディスプレイ装置であって、上記表示映像を上記マルチディスプレイ画面における垂直方向および水平方向の少なくとも一方向に画面一杯に拡大表示した際に、他方の方向において無映像表示領域が生じるか否かを判断し、さらに、上記無映像表示領域が生じる場合には、上記表示映像の表示位置を変更することで表示映像の存在しない無映像表示ディスプレイが生じるか否かを判断し、上記無映像表示ディスプレイが生じる場合には、上記表示映像の表示位置を変更して上記無映像表示ディスプレイを生じさせ、その無映像表示ディスプレイを省電力モードとすることを特徴としている。
【００１１】
上記表示映像を上記マルチディスプレイ画面における垂直方向および水平方向の少なくとも一方向に画面一杯に拡大表示した際に、他方の方向において無映像表示領域が生じる場合（すなわち、映像信号の縦横比率がマルチディスプレイ全体の縦横比率と一致しない場合）、従来のように表示映像をマルチディスプレイ画面のセンターに配置すると、無映像表示領域が画面両端に分かれるため、無映像表示領域が生じているディスプレイ画面においても表示映像が存在し、全画面で表示を行っているディスプレイと同様に電力を消費する。
【００１２】
上記の構成によれば、上記無映像表示領域が生じる場合には、上記表示映像の表示位置を変更することで表示映像の存在しない無映像表示ディスプレイが生じるか否かを判断し、上記無映像表示ディスプレイが生じる場合には、上記表示映像の表示位置を変更して上記無映像表示ディスプレイを生じさせる。こうして生じた無映像表示ディスプレイを省電力モードとすることで、マルチディスプレイ装置全体の省電力化を実現できる。
【００１３】
また、上記マルチディスプレイ装置では、上記無映像表示領域が生じる場合であって、上記表示映像の表示位置を変更しても上記無映像表示ディスプレイが生じない場合には、さらに、上記表示映像をその縦横比を維持しながら縮小し、その縮小した上記表示映像の表示位置を変更して上記無映像表示ディスプレイを生じさせ、その無映像表示ディスプレイを省電力モードとする構成とすることができる。
【００１４】
上記の構成によれば、上記表示映像の表示位置を変更するだけでは上記無映像表示ディスプレイが生じない場合に、さらに表示映像を縮小することによって無映像表示ディスプレイを生じさせることで、マルチディスプレイ装置全体の省電力化を実現できる。
【発明の効果】
【００１５】
本発明は、垂直方向および水平方向の両方に複数のディスプレイを並べて構成され、上記複数のディスプレイによって構成されるマルチディスプレイ画面に１つの表示映像を表示可能なマルチディスプレイ装置であって、上記表示映像を上記マルチディスプレイ画面における垂直方向および水平方向の少なくとも一方向に画面一杯に拡大表示した際に、他方の方向において無映像表示領域が生じるか否かを判断し、さらに、上記無映像表示領域が生じる場合には、上記表示映像の表示位置を変更することで表示映像の存在しない無映像表示ディスプレイが生じるか否かを判断し、上記無映像表示ディスプレイが生じる場合には、上記表示映像の表示位置を変更して上記無映像表示ディスプレイを生じさせ、その無映像表示ディスプレイを省電力モードとする構成である。
【００１６】
それゆえ、上記表示映像の表示位置を変更することで上記無映像表示ディスプレイが生じるような場合には、無映像表示ディスプレイを省電力モードとすることで、マルチディスプレイ装置全体の省電力化を実現できるとの効果を奏する。
【図面の簡単な説明】
【００１７】
【図１】本発明の一実施形態を示すものであり、（ａ）は表示映像をマルチディスプレイ画面において左寄せするようにシフトした例、（ｂ）は右寄せするようにシフトした例、（ｃ）は上寄せするようにシフトした例、（ｄ）は下寄せするようにシフトした例である。
【図２】縦方向（垂直方向）および横方向（水平方向）の両方に複数のディスプレイを並べて構成されたマルチディスプレイ装置の画面構成を示す図である。
【図３】上記マルチディスプレイ装置における各ディスプレイの接続を示す図である。
【図４】上記マルチディスプレイ装置における各ディスプレイの概略構成を示すブロック図である。
【図５】（ａ）はマルチディスプレイ画面において表示される表示映像、（ｂ）は（ａ）の表示映像を各ディスプレイの位置に相当する各領域に分割した状態、（ｃ）は（ａ）の表示映像をマルチディスプレイ画面にて表示している状態を示す図である。
【図６】マルチディスプレイ装置において、１つの映像を拡大表示（エンラージ）で実現する例を示す図である。
【図７】各ディスプレイにおいて、分割された映像のどの部分を表示するかを示す図である。
【図８】各ディスプレイにおける設定メニューを示す図である。
【図９】映像信号を横方向に分割する場合の、各ディスプレイにおける拡大表示方法を示す図である。
【図１０】映像信号を縦方向に分割する場合の、各ディスプレイにおける拡大表示方法を示す図である。
【図１１】上記マルチディスプレイ装置における各ディスプレイの信号入力構成を示すブロック図である。
【図１２】無映像表示領域を有する映像信号を横方向に分割する場合の、端部ディスプレイにおける拡大表示方法を示す図である。
【図１３】無映像表示領域を有する映像信号を縦方向に分割する場合の、端部ディスプレイにおける拡大表示方法を示す図である。
【図１４】無映像表示領域を有する映像信号を左寄せして横方向に分割する場合の、各ディスプレイにおける拡大表示方法を示す図である。
【図１５】無映像表示領域を有する映像信号を上寄せして縦方向に分割する場合の、各ディスプレイにおける拡大表示方法を示す図である。
【図１６】実施の形態１のマルチディスプレイ装置において、各ディスプレイにおける表示処理の手順を示すフローチャートである。
【図１７】図１６のフローチャートにおける表示左右シフト処理および表示不要ディスプレイの省電力処理を示すフローチャートである。
【図１８】図１６のフローチャートにおける表示上下シフト処理および表示不要ディスプレイの省電力処理を示すフローチャートである。
【図１９】（ａ），（ｂ）は映像をシフトしても表示不要画面が発生しない場合を示す図であり、（ｃ），（ｄ）は表示映像を縮小することで表示不要画面を発生させた場合を示す図である。
【図２０】実施の形態２のマルチディスプレイ装置において、各ディスプレイにおける表示処理の手順を示すフローチャートである。
【図２１】図２０のフローチャートにおける縮小表示左右シフト処理および表示不要ディスプレイの省電力処理を示すフローチャートである。
【図２２】図２０のフローチャートにおける縮小表示上下シフト処理および表示不要ディスプレイの省電力処理を示すフローチャートである。
【図２３】実施の形態３で省電力モードにする代わりに別の入力端子からの映像信号に切替えて表示している状態を示す図である。
【図２４】マルチ画面用表示映像が存在しないディスプレイに、他の映像信号を表示するときの処理を示すフローチャートである。
【図２５】従来のマルチディスプレイ装置の表示例を示すものであり、（ａ）は映像信号の縦横比率とマルチディスプレイ全体の縦横比率とが一致する場合、（ｂ）は映像信号がマルチディスプレイ画面よりも縦長の場合、（ｃ）は映像信号がマルチディスプレイ画面よりも横長の場合を示す図である。
【発明を実施するための形態】
【００１８】
〔実施の形態１〕
以下、本発明の実施の形態１について、図面に基づいて詳細に説明する。まずは、本願発明が適用されるマルチディスプレイ装置の基本構成を説明する。
【００１９】
本実施の形態１に係るマルチディスプレイ装置は、縦方向（垂直方向）および横方向（水平方向）の両方に複数のディスプレイを並べて構成されたものである。すなわち、本マルチディスプレイ装置は、複数のディスプレイによって１つの映像（マルチ画面用表示映像）を表示できるようになっている。
【００２０】
以下の説明では、図２に示すように、縦４列、横４列の１６台構成のマルチディスプレイ装置を例示する。但し、本発明では、縦横の列の数と合計台数とについては上記例に限定されるものではなく、例えば縦３列×横３列の９台構成や、縦４列×横５列の２０台構成等、他の構成、台数でもよい。また、マルチディスプレイ装置を構成するそれぞれのディスプレイの縦横比率は３：４でも９：１６でも構わない。
【００２１】
上記マルチディスプレイ装置において、これを構成する１６台のディスプレイにはそれぞれＩＤ番号が付けられており、個々のディスプレイを識別できるようになっている。図２では、１６台のディスプレイに対して“０１”〜“１６”のＩＤ番号が付されている。尚、上記ＩＤ番号は、１から始まっている必要はなく、続き番号である必要もないが、それぞれのディスプレイがマルチディスプレイ装置のどの位置にあるのかについては、それぞれのＩＤ番号と対応付けて管理されているものとする。
【００２２】
各ディスプレイは、図３に示すように、ＲＳ２３２Ｃ等の制御コマンドがやり取りできる端子で接続されている。制御コマンドをやり取りする端子は、制御コマンドをやり取りできれば他の端子、例えばＬＡＮ端子でもよく本発明を限定するものではない。
【００２３】
また、“０１”〜“１６”の各ディスプレイは、ＲＳ２３２Ｃ等やＬＡＮ端子等の制御コマンドがやり取りできる端子の他に、実際に表示する映像信号が入力される映像信号入力コネクタを持つ（図４参照）。映像信号入力コネクタは複数あってもよく、信号の種類もコンポジットビデオ信号でも色相色差信号でも、デジタルビデオ信号でも構わない。但し、図示していない映像信号源から、同じ映像信号が同じ入力コネクタに入力されているとする。入力信号は、スケーラーＬＳＩによって選択され、表示部に合うように拡大縮小、補完間引き処理による解像度変換を行われた後、表示器に出力されて表示される。
【００２４】
ここで、例えば図５（ａ）に示す映像信号を図２に示すマルチディスプレイ装置にて表示する場合を考える。この時、映像信号の縦横比率がマルチディスプレイ装置の縦横比率と同じであれば、各ディスプレイは、図５（ｃ）に示すように、それぞれのディスプレイの位置に相当する各領域（図５（ｂ））の映像を表示する。すなわち、映像信号の中から、各ディスプレイが自らが表示する映像を取り出して表示する。
【００２５】
次に、マルチディスプレイ装置において、複数のディスプレイで１つの映像を表示する仕組みについて説明する。
【００２６】
まずは、図２にも示したように、マルチディスプレイ装置を構成する個々のディスプレイを判別するためのＩＤ番号が設定される。具体的には、例えば以下の表１に示すように、各ディスプレイのディスプレイＩＤに、それぞれのディスプレイの水平方向および垂直方向の表示位置が対応して設定される。また、ＩＤ番号は、固有ＩＤ（ユニークＩＤ）とマルチ制御用ＩＤ（ディスプレイＩＤ）とを、以下の表２に示すように別管理としてもよい。
【００２７】
【表１】
0005464594.tif 000002
【００２８】
【表２】
0005464594.tif 000003
【００２９】
ＩＤ番号の設定手順としては、例えば、先頭のディスプレイのＩＤを設定し、次々と後続のディスプレイに対し＋１ずつ増やしたＩＤを設定するようにしてもよい。
【００３０】
このように各ディスプレイにＩＤ番号が設定された状態で、個々のディスプレイに映像の部分表示を担当させるための情報を設定する。ここでは、図６に示すように、マルチディスプレイ装置において、１つの映像を拡大表示（エンラージ）で実現している例を示す。
【００３１】
まず、マルチディスプレイ装置における水平方向設置台数を「拡大倍率（水平）」に設定し、垂直方向設置台数を「拡大倍率（垂直）」に設定する。これにより、表示される映像信号は、拡大倍率に応じて分割される。各ディスプレイにおいて、分割された映像のどの部分を表示するか（図７参照）を、「拡大位置（水平）」「拡大位置（垂直）」のように設定する（図８参照）。尚、図７において、カッコ内の数字は、分割された各映像の（拡大位置（水平）、拡大位置（垂直））を示す。設定された情報に基づき、個々のディスプレイは映像の一部分を表示する。
【００３２】
１つの映像信号を複数のディスプレイで表示するために、入力された映像信号を表示に使用する部分とそうでない部分とに分ける方法として、以下の例が挙げられる。
【００３３】
映像信号を横方向に分割する場合には、１ラインを横ディスプレイ数で分割する。具体的には、図９に示すように、映像信号の１ラインを拡大倍率数で分割し、それぞれのディスプレイでは、対応する拡大位置（水平）番目の範囲の信号を拡大倍率に応じて拡大して表示する。
【００３４】
同様に、映像信号を縦方向に分割する場合には、１画面を縦ディスプレイ数で分割する。具体的には、図１０に示すように、映像信号のライン数を拡大倍率数で分割し、それぞれのディスプレイでは、対応する拡大位置（垂直）番目の信号を拡大倍率に応じて拡大して表示する。
【００３５】
映像の縦横比率を認識する方法としては、既存技術として、専用信号によるものと映像信号から求める方法とがある。専用信号によるものの例としては、Ｓ２ビデオ信号端子やＤ端子からの専用信号による方法がある。
【００３６】
Ｓ２ビデオ信号端子は、４ｐｉｎの映像用端子であり、色信号に識別用の直流電圧が乗せてある。Ｓ２ビデオ信号端子からの専用信号によれば、通常（４：３）、スクイーズ（横方向圧縮）、レターボックス（１６：９映像を上下黒帯）が判別可能である。
【００３７】
また、Ｄ端子は、１４ｐｉｎの映像用端子であり、Ｄ１（５２５ｉ）、Ｄ２（５２５ｐ）、Ｄ３（１０８０ｉ）、Ｄ４（７２０ｐ）等の信号形式があり、３本の識別信号端子の直流電圧により、有効走査線数（１０８０，７２０，４８０本）、走査方式（プログレッシブ、インターレース）、画角（１６：９、４：３ＬＢ、４：３）が判別可能となる。
【００３８】
映像信号から縦横比率を求めるものの例としては、映像信号の左右または上下部分に無映像（黒）があるかどうかを調べて映像信号の縦横比率を求める方法がある。例えば、左右圧縮されて４：３映像になったものは、映像信号の変化から水平周波数を求めて判定できる。具体的には、１６：９映像を４：３に収めた時に上下に黒帯を加える場合や、４：３映像に左右黒帯を加えるようなレターボックス映像の場合に、映像領域の縦横比率を求めることができる。
【００３９】
通常、ディスプレイは、図１１に示すように、複数の映像入力端子を持ち、複数の映像信号を同時に入力することが可能なものが一般的である。その中から映像信号を選択し、表示する。マルチディスプレイ表示の場合は、各ディスプレイには同じ信号が入力されるため、選択される入力端子の番号は同じとなる。マルチディスプレイとして使わなくなった場合には、そのディスプレイが、マルチディスプレイ表示用の端子以外の端子から入力されている信号を選択すれば、その端子からの映像を表示するようになる。
【００４０】
ここで、図９，１０は、映像信号の縦横比率がマルチディスプレイ全体の縦横比率と一致する場合（図２５（ａ）に示すような場合）を示しており、表示に寄与しない無表示の部分（無映像表示領域：黒帯部分等）は生じていない。しかしながら、映像信号の縦横比率がマルチディスプレイ全体の縦横比率と一致しない場合（図２５（ｂ），（ｃ）に示すような場合）には、黒帯部分等が発生する。
【００４１】
通常、１つの映像信号を複数のディスプレイで表示する場合、次のような手順で実現する。
(1) 設定された水平拡大倍率ＭＨ、垂直拡大倍率ＭＶ、水平表示位置Ｘ、垂直表示位置Ｙを参照する。
(2) 映像信号全体の長さ（水平ならばＨ、垂直ならばＶ）をそれぞれの拡大倍率ＭＨあるいはＭＶで割ると、１つのディスプレイが担当する映像信号の長さが求まる。即ち、水平ラインでは、Ｈ／ＭＨ、垂直ラインではＶ／ＭＶで求まる。
(3) 映像信号を水平ラインならＭＨだけ分割、垂直ラインならＭＶ個に分割する。
(4) ＭＨ個あるいはＭＶ個に分割された信号の中から、水平ラインなら、水平表示位置Ｘ番目、垂直ラインなら、垂直表示位置Ｙ番目の範囲を選択する。即ち、表示する映像信号は、（水平表示位置は１〜ＭＨ、垂直表示位置は１〜ＭＶで設定されているとして）水平方向では、１つのディスプレイ当たり水平信号の１／ＭＨとなり、ｔＨ０＋Ｈ／水平拡大率ＭＨ×（水平表示位置Ｘ−１））からｔＨ０＋Ｈ／水平拡大率ＭＨ×（水平表示位置Ｘ）までとなる。一方、垂直方向では、１つのディスプレイ当たり垂直信号の１／ＭＶとなり、ｔＶ０＋Ｖ／垂直拡大率ＭＶ×（垂直表示位置Ｙ−１）からｔＶ０＋Ｖ／垂直拡大率ＭＶ×（垂直表示位置Ｙ）までとなる。
(5) (4)で選択された信号、Ｘ番目の水平ライン信号、Ｙ番目の水平ラインを、ディスプレイに合うように拡大処理（水平はＭＨ倍、垂直はＭＶ倍）してディスプレイ画面に表示する。
【００４２】
上記の処理を図示すると図１２，図１３に示すものとなる。このように、映像信号の縦横比率がマルチディスプレイ全体の縦横比率と一致しない場合に、通常の表示処理を行うと、表示映像がマルチディスプレイ装置の全体画面のセンターに配置され、図１２に示すように左右両端の分割画面の両方に黒帯部分が生じたり、図１３に示すように上下両端の分割画面の両方に黒帯部分が生じたりする。また、黒帯部分が生じている端部画面においても一部でも表示映像がある場合、その端部画面を表示しているディスプレイは、全画面で表示を行っているディスプレイと同様に電力を消費する。
【００４３】
このため、本実施の形態１のマルチディスプレイ装置では、映像信号の縦横比率がマルチディスプレイ全体の縦横比率と一致しない場合、表示映像をマルチディスプレイ装置の全体画面のセンターに配置せず、図１（ａ）〜（ｄ）に示すように、左右上下の何れかの方向に寄せて表示を行う。すなわち、図１（ａ）では、ディスプレイ１１が４×４配列されたマルチディスプレイ画面１０において表示映像が左寄せされ、右端列のディスプレイ１１が無映像表示ディスプレイ１２となっている。同様に、図１（ｂ）では左端列のディスプレイ１１が無映像表示ディスプレイ１２となっており、図１（ｃ）では下端列のディスプレイ１１が無映像表示ディスプレイ１２となっており、図１（ｄ）では上端列のディスプレイ１１が無映像表示ディスプレイ１２となっている。
【００４４】
このように、表示映像をマルチディスプレイ装置の左右上下の何れかの方向に寄せて表示を行う場合の映像信号の分割の様子を図１４（左寄せの場合），図１５（上寄せの場合）に示す。表示映像をシフトする方向は予め優先方向が決まっていればそれに従うようにしてよい。
【００４５】
信号の黒帯（空白部分）は、前部（ＢＨ１、ＢＶ１）、後部（ＢＨ２、ＢＶ２）であり、その部分を決められた優先順位により、上記通常処理の(4)で求めた表示範囲からシフトして表示することになる。
【００４６】
即ち、上寄せならば、本来表示する(4)で選択した信号範囲を下にＢＶ１だけシフトさせるため、ｔＶ０＋Ｖ／垂直拡大率ＭＶ×（垂直表示位置Ｙ−１）＋ＢＶ１からｔＶ０＋Ｖ／垂直拡大率ＭＶ×（垂直表示位置Ｙ）＋ＢＶ１までとなる。
【００４７】
同様に、下寄せならば、本来表示する(4)で選択した信号範囲を上にＢＶ２だけシフトさせるため、ｔＶ０＋Ｖ／垂直拡大率ＭＶ×（垂直表示位置Ｙ−１）−ＢＶ２からｔＶ０＋Ｖ／垂直拡大率ＭＶ×（垂直表示位置Ｙ）−ＢＶ２までとなる。
【００４８】
左寄せならば、本来表示する(4)で選択した信号範囲を後ろにＢＨ１だけシフトさせるため、Ｈ／水平拡大率ＭＨ×（水平表示位置Ｘ−１）＋ＢＨ１からＨ／水平拡大率ＭＨ×（水平表示位置Ｘ）＋ＢＨ１までとなる。
【００４９】
右寄せならば、本来表示する(4)で選択した信号範囲を前にＢＨ２だけシフトさせるため、Ｈ／水平拡大率ＭＨ×（水平表示位置Ｘ−１）−ＢＨ２からＨ３／水平拡大率ＭＨ×（水平表示位置Ｘ）−ＢＨ２までとなる。
【００５０】
ここで、本実施の形態１のマルチディスプレイ装置において、各ディスプレイにおける表示処理の手順を、図１６のフローチャートを参照して説明する。
【００５１】
最初に、マルチディスプレイ装置を構成する各ディスプレイは、該マルチディスプレイ装置における全体設定として、マルチディスプレイの構成の情報である、水平拡大率ＭＨ、垂直拡大率ＭＶ、単体のディスプレイの縦サイズＳＶ、横サイズＳＨを読み出す。これらの情報が読み出されると、各ディスプレイにおける水平および垂直方向の分担量ＵＨ，ＵＶが下記式により求められる（Ｓ１，Ｓ２）。
【００５２】
ＵＨ＝Ｈ／ＭＨ
ＵＶ＝Ｖ／ＭＶ
但し、Ｈ：１水平ラインのデータ幅
Ｖ：１画面のライン数
さらに、各ディスプレイにおける水平方向および垂直方向の表示開始位置であるｔＨ，ｔＶが求められる（Ｓ３）。例えば、図１４の例では、最も左端に位置するディスプレイの水平方向の表示開始位置はｔＨ＝ｔＨ０＋ＢＨ１である。ここで、ｔＨ０は入力映像信号の水平方向開始位置であり、ＢＨ１は、映像信号の左端に存在する前記黒帯部分のデータ幅である。すなわち、図１４は左右に黒帯部分が存在する映像信号をマルチディスプレイ装置において左寄せして表示する場合を示すものであるため、左端に位置するディスプレイの水平方向の表示開始位置は、黒帯部分を除いた実際の表示映像の開始位置と一致させられる。同様に、図１５の例では、最も上端に位置するディスプレイの垂直方向の表示開始位置はｔＶ＝ｔＶ０＋ＢＶ１である。
【００５３】
次に入力されている映像の縦横比を調べる。理由は映像の上下あるいは左右に黒帯（無表示部分）の挿入が必要か否かを調べるためである。縦横比は映像信号から判断する場合と、映像信号端子の入力信号から判別できる場合があり、後者の方が簡単である。
【００５４】
後者の例として、Ｓ２端子もしくはＤ端子を用いて映像信号が入力される場合、該映像信号には縦横比を直接的もしくは間接的に示す識別信号があり（Ｓ４でＹＥＳ）、その識別信号によって映像の縦横比が１６：９であるか４：３であるかを判断することができる（Ｓ５，Ｓ７）。
【００５５】
上記識別信号によって映像の縦横比が１６：９であると判断された場合には（Ｓ５でＹＥＳ）、水平空白比率ＡＨおよび垂直空白比率ＡＶが下記式にて求められる（Ｓ６）。
【００５６】
ＡＨ＝０
ＡＶ＝１−９×ＳＨ／（１６×ＳＶ）
また、上記識別信号によって映像の縦横比が４：３であると判断された場合には（Ｓ７でＹＥＳ）、水平空白比率ＡＨおよび垂直空白比率ＡＶが下記式にて求められる（Ｓ８）。
【００５７】
ＡＨ＝１−４×ＳＶ／（３×ＳＨ）
ＡＶ＝０
映像入力信号に識別信号が無い場合（Ｓ４でＮＯ）、あるいは、識別信号があっても映像の縦横比が１６：９および４：３の何れでもない場合（Ｓ７でＮＯ）には、以下のようにして水平空白比率ＡＨおよび垂直空白比率ＡＶが求められる。
【００５８】
まず、垂直方向については、取り入れた映像信号を調べ空白ラインを調べる。具体的には、前部黒帯部分のライン数ＢＶ１（＝ｔＶＢ１−ｔＶ０）、後部黒帯部分のライン数ＢＶ２（＝ｔＶＭ−ｔＶＢ２）、１画面のライン数Ｖ（＝ｔＶＭ−ｔＶ０）を求め（Ｓ９）、さらに、垂直空白比率ＡＶ（＝（ＢＶ１＋ＢＶ２）／Ｖ）を求める（Ｓ１０）。
【００５９】
さらに、水平方向については、１ライン空白部分を調べる。具体的には、前部黒帯部分のデータ幅ＢＨ１（＝ｔＨＢ１−ｔＨ０）、後部黒帯部分のデータ幅ＢＨ２（＝ｔＨＮ−ｔＶＢ１）、１水平ラインのデータ幅Ｈ（＝ｔＨＮ−ｔＨ０）を求め（Ｓ１１）、さらに、水平空白比率ＡＨ（＝（ＢＨ１＋ＢＨ２）／Ｈ）を求める（Ｓ１２）。
【００６０】
こうして、水平空白比率ＡＨおよび垂直空白比率ＡＶが求まると、これらの大小が比較される（Ｓ１３：第１の工程）。ＡＨ＞ＡＶの場合（Ｓ１３でＹＥＳ）、入力映像がマルチディスプレイ全体の画面に比べて縦長であり、映像の左右に無表示の部分が生じることを意味する。逆に、ＡＨ＜ＡＶの場合（Ｓ１３でＮＯ）、入力映像がマルチディスプレイ全体の画面に比べて横長であり、映像の上下に無表示の部分が生じることを意味する。
【００６１】
ＡＨ＞ＡＶの場合は、水平不要画面数ＰＨを以下の式にて求める（Ｓ１４）。
【００６２】
ＰＨ＝ＡＨ×ＭＨ  （ＭＨ：水平拡大率）
さらに、ＰＨ≧１であるか否かを調べる（Ｓ１５：第２の工程）。この時、ＰＨ≧１であれば、表示映像をマルチディスプレイにおいて左または右にシフトすれば、無表示になるディスプレイが生じることを意味する（表示に寄与しないディスプレイが、ＰＨ×ＭＶ個発生することになる：但し、ＰＨは整数）。このため、ＰＨ≧１であれば（Ｓ１５でＹＥＳ）、表示左右シフト処理を行い（Ｓ１６：第３の工程）、さらに表示不要ディスプレイの省電力処理を行う（Ｓ１７：第３の工程）。
【００６３】
また、ＡＨ＜ＡＶの場合は、垂直不要画面数ＰＶを以下の式にて求める（Ｓ１８）。
【００６４】
ＰＶ＝ＡＶ×ＭＶ  （ＭＶ：垂直拡大率）
さらに、ＰＶ≧１であるか否かを調べる（Ｓ１９：第２の工程）。この時、ＰＶ≧１であれば、表示映像をマルチディスプレイにおいて上または下にシフトすれば、無表示になるディスプレイが生じることを意味する（表示に寄与しないディスプレイが、ＰＶ×ＭＨ個発生することになる：但し、ＰＶは整数）。このため、ＰＶ≧１であれば（Ｓ１９でＹＥＳ）、表示上下シフト処理を行い（Ｓ２０：第３の工程）、さらに表示不要ディスプレイの省電力処理を行う（Ｓ２１：第３の工程）。
【００６５】
図１６のフローチャートにおいて、表示シフト処理（Ｓ１６，Ｓ２０）および表示不要ディスプレイの省電力処理（Ｓ１７，Ｓ２１）以外の処理は、全てのディスプレイで同じように処理してもよいし、どれか一つ、例えば、先頭のディスプレイが処理を行い、画面のシフト量と方向とを他のディスプレイに指示を出してもよい。
【００６６】
表示上下シフト処理（Ｓ１６，Ｓ２０）および表示不要ディスプレイの省電力処理（Ｓ１７，Ｓ２１）は、それぞれのディスプレイで処理が行われる。ここで、表示左右シフト処理および表示不要ディスプレイ省電力処理を図１７のフローチャートを参照して説明する。
【００６７】
まず、処理が行われるディスプレイの位置（Ｘ，Ｙ）が調べられる（Ｓ３１）。さらに、シフト方向が調べられる（Ｓ３２）。ここでは、シフトの優先方向は、パラメータＦＨによって予め設定できるものとする。図１７では、ＦＨ＝１の場合に左寄せ、ＦＨ＝０の場合に右寄せとする。
【００６８】
ＦＨ＝１の場合（Ｓ３３でＹＥＳ）、シフト方向は左寄せなので、前部黒帯部分のデータ幅ＢＨ１が調べられ（Ｓ３４）、パラメータαの値がα＝ＢＨ１に設定される（Ｓ３５）。
【００６９】
次に、水平不要画面数ＰＨが調べられ（Ｓ３６）、ＰＨ≦（ＭＨ−Ｘ）を満たすか否かが確認される（Ｓ３７）。ここで、ＰＨ≦（ＭＨ−Ｘ）であれば、このディスプレイには表示する映像が存在することになるため、映像信号のシフト処理（左寄せ）が行われる。
【００７０】
すなわち、水平方向において左にＢＨ１のシフトを行うため、水平ラインの読み込み開始位置ＨｓｔａｒｔをＨｓｔａｒｔ＝ＵＨ×（Ｘ−１）＋αとし（Ｓ３８）、読み込み終了位置ＨｅｎｄをＨｅｎｄ＝ＵＨ×Ｘ＋αとする（Ｓ３９）。また、垂直方向においてはシフト不要であるため、垂直ラインの読み込み開始位置ＶｓｔａｒｔはＶｓｔａｒｔ＝ＵＶ×（Ｙ−１）とし（Ｓ４０）、読み込み終了位置ＶｅｎｄをＶｅｎｄ＝ＵＶ×Ｙとする（Ｓ４１）。
【００７１】
そして、水平ラインの読み込み開始位置Ｈｓｔａｒｔ、読み込み終了位置Ｈｅｎｄ、および垂直ラインの読み込み開始位置Ｖｓｔａｒｔ、読み込み終了位置Ｖｅｎｄに基づいて、入力映像信号から、上記範囲の表示データが抽出され（Ｓ４２）、表示される（Ｓ４３）。
【００７２】
ＦＨ＝０の場合（Ｓ３３でＮＯ）、シフト方向は右寄せなので、後部黒帯部分のデータ幅ＢＨ２が調べられ（Ｓ４４）、パラメータαの値がα＝（−ＢＨ２）に設定される（Ｓ４５）。
【００７３】
次に、水平不要画面数ＰＨが調べられ（Ｓ４６）、ＰＨ≧Ｘを満たすか否かが確認される（Ｓ４７）。ここで、ＰＨ≧Ｘが満たされなければ、このディスプレイには表示する映像が存在することになるため、映像信号のシフト処理（右寄せ）が行われる。
【００７４】
すなわち、水平方向において右にＢＨ２のシフトを行うため、水平ラインの読み込み開始位置ＨｓｔａｒｔをＨｓｔａｒｔ＝ＵＨ×（Ｘ−１）＋αとし（Ｓ４８）、読み込み終了位置ＨｅｎｄをＨｅｎｄ＝ＵＨ×Ｘ＋αとする（Ｓ４９）。また、垂直方向においてはシフト不要であるため、垂直ラインの読み込み開始位置ＶｓｔａｒｔはＶｓｔａｒｔ＝ＵＶ×（Ｙ−１）とし（Ｓ５０）、読み込み終了位置ＶｅｎｄをＶｅｎｄ＝ＵＶ×Ｙとする（Ｓ５１）。
【００７５】
そして、水平ラインの読み込み開始位置Ｈｓｔａｒｔ、読み込み終了位置Ｈｅｎｄ、および垂直ラインの読み込み開始位置Ｖｓｔａｒｔ、読み込み終了位置Ｖｅｎｄに基づいて、入力映像信号から、上記範囲の表示データが抽出され（Ｓ５２）、表示される（Ｓ５３）。
【００７６】
Ｓ３７でＰＨ≦（ＭＨ−Ｘ）が満たされない場合、あるいは、Ｓ４７でＰＨ≧Ｘが満たされる場合、このディスプレイには表示する映像が存在しないことになる。この場合は、そのディスプレイにおいて、例えば、表示をオフにするなどの省電力モードとする（Ｓ５４）。
【００７７】
次に、表示上下シフト処理および表示不要ディスプレイ省電力処理を図１８のフローチャートを参照して説明する。
【００７８】
まず、処理が行われるディスプレイの位置（Ｘ，Ｙ）が調べられる（Ｓ６１）。さらに、シフト方向が調べられる（Ｓ６２）。ここでは、シフトの優先方向は、パラメータＦＶによって予め設定できるものとする。図１８では、ＦＶ＝１の場合に上寄せ、ＦＶ＝０の場合に右寄せとする。
【００７９】
ＦＶ＝１の場合（Ｓ６３でＹＥＳ）、シフト方向は上寄せなので、前部黒帯部分のライン数ＢＶ１が調べられ（Ｓ６４）、パラメータβの値がβ＝ＢＶ１に設定される（Ｓ６５）。
【００８０】
次に、垂直不要画面数ＰＶが調べられ（Ｓ６６）、ＰＶ≦（ＭＶ−Ｙ）を満たすか否かが確認される（Ｓ６７）。ここで、ＰＶ≦（ＭＶ−Ｙ）であれば、このディスプレイには表示する映像が存在することになるため、映像信号のシフト処理（上寄せ）が行われる。
【００８１】
すなわち、垂直方向において上にＢＶ１のシフトを行うため、垂直ラインの読み込み開始位置ＶｓｔａｒｔをＶｓｔａｒｔ＝ＵＶ×（Ｙ−１）＋βとし（Ｓ６８）、読み込み終了位置ＶｅｎｄをＶｅｎｄ＝ＵＶ×Ｙ＋ベータとする（Ｓ６９）。また、水平方向においてはシフト不要であるため、水平ラインの読み込み開始位置ＨｓｔａｒｔはＨｓｔａｒｔ＝ＵＨ×（Ｘ−１）とし（Ｓ７０）、読み込み終了位置ＨｅｎｄをＨｅｎｄ＝ＵＨ×Ｘとする（Ｓ７１）。
【００８２】
そして、水平ラインの読み込み開始位置Ｈｓｔａｒｔ、読み込み終了位置Ｈｅｎｄ、および垂直ラインの読み込み開始位置Ｖｓｔａｒｔ、読み込み終了位置Ｖｅｎｄに基づいて、入力映像信号から、上記範囲の表示データが抽出され（Ｓ７２）、表示される（Ｓ７３）。
【００８３】
ＦＶ＝０の場合（Ｓ６３でＮＯ）、シフト方向は下寄せなので、後部黒帯部分のライン数ＢＶ２が調べられ（Ｓ７４）、パラメータβの値がβ＝（−ＢＶ２）に設定される（Ｓ７５）。
【００８４】
次に、垂直不要画面数ＰＶが調べられ（Ｓ７６）、ＰＶ≧Ｙを満たすか否かが確認される（Ｓ７７）。ここで、ＰＶ≧Ｙが満たされなければ、このディスプレイには表示する映像が存在することになるため、映像信号のシフト処理（下寄せ）が行われる。
【００８５】
すなわち、垂直方向において下にＢＶ２のシフトを行うため、垂直ラインの読み込み開始位置ＶｓｔａｒｔをＶｓｔａｒｔ＝ＵＶ×（Ｙ−１）＋βとし（Ｓ７８）、読み込み終了位置ＶｅｎｄをＶｅｎｄ＝ＵＶ×Ｙ＋βとする（Ｓ７９）。また、水平方向においてはシフト不要であるため、水平ラインの読み込み開始位置ＨｓｔａｒｔはＨｓｔａｒｔ＝ＵＨ×（Ｘ−１）とし（Ｓ８０）、読み込み終了位置ＨｅｎｄをＨｅｎｄ＝ＵＨ×Ｘとする（Ｓ８１）。
【００８６】
そして、水平ラインの読み込み開始位置Ｈｓｔａｒｔ、読み込み終了位置Ｈｅｎｄ、および垂直ラインの読み込み開始位置Ｖｓｔａｒｔ、読み込み終了位置Ｖｅｎｄに基づいて、入力映像信号から、上記範囲の表示データが抽出され（Ｓ８２）、表示される（Ｓ８３）。
【００８７】
Ｓ６７でＰＶ≦（ＭＶ−Ｙ）が満たされない場合、あるいは、Ｓ７７でＰＶ≧Ｙが満たされる場合、このディスプレイには表示する映像が存在しないことになる。この場合は、そのディスプレイにおいて、例えば、表示をオフにするなどの省電力モードとする（Ｓ８４）。
【００８８】
〔実施の形態２〕
実施の形態１では、表示映像をシフトすることによって表示不要画面が発生するか否かを判断し、表示不要画面が発生する場合にシフト処理を行っている。すなわち、図１９（ａ），（ｂ）に示すように、映像をシフトしても表示不要画面が発生しない場合にはシフト処理を行わない。図１９（ａ）は左シフトによっても表示不要画面が発生しない場合、図１９（ｂ）は上シフトによっても表示不要画面が発生しない場合を示している。
【００８９】
これに対し、本実施の形態２では、表示映像をシフトするだけでは、表示不要画面が発生しない場合には、さらに表示映像の縮小処理をおこなって、表示不要画面が発生させる。例えば、図１９（ｃ）では、左シフト処理と縮小処理とによって最右端列のディスプレイを表示不要画面としている。また、図１９（ｄ）では、上シフト処理と縮小処理とによって最下端列のディスプレイを表示不要画面としている。
【００９０】
本実施の形態２のマルチディスプレイ装置において、各ディスプレイにおける表示処理の手順を、図２０のフローチャートを参照して説明する。但し、図２０のフローチャートに示す処理は、図１６のフローチャートに示す処理と共通の処理を有するため、同一の処理については図１６と同一のステップ番号を付し、詳細な説明を省略する。
【００９１】
入力映像がマルチディスプレイ全体の画面に比べて縦長であり、Ｓ１５においてＰＨ＜１である場合、表示映像をマルチディスプレイにおいて左または右にシフトするだけでは、無表示になるディスプレイが発生しない。すなわち、いずれのディスプレイも省電力モードとすることはできない。本実施の形態２では、このような場合、表示映像の縮小処理を行う。
【００９２】
まず、水平不要画面数ＰＨをＰＨ＝１とする（Ｓ９１）。さらに、１つのディスプレイに割当てる信号の分担量を、ＵＨ，ＵＶから下記式に基づいたＵＵＨ，ＵＵＶに変更する（Ｓ９２，Ｓ９３）。
【００９３】
ＵＵＨ＝（Ｈ−（ＢＨ１＋ＢＨ２））／（ＭＨ−１）
ＵＵＶ＝（ＵＵＨ／ＵＨ）×ＵＶ
すなわち、ＵＵＨは、ＵＨ＞ＵＵＨであり、水平映像信号の黒帯部分（ＢＨ１及びＢＨ２）を除いた部分を、水平倍率ＭＨ（＝水平のディスプレイ数に等しい）から１減じた数で分割したものである。また、ＵＵＶは、表示映像の縦横比率を維持するために、ＵＵＨ／ＵＨだけ補正する。
【００９４】
こうして、ＰＨ，ＵＵＨ，ＵＵＶが設定されると、これらを用いて縮小表示左右シフト処理を行い（Ｓ９４：第４の工程）、さらに表示不要ディスプレイの省電力処理を行う（Ｓ９５：第４の工程）。
【００９５】
また、入力映像がマルチディスプレイ全体の画面に比べて横長であり、Ｓ１９においてＰＶ＜１である場合には、同様に以下の処理を行う。
【００９６】
まず、垂直不要画面数ＰＶをＰＶ＝１とする（Ｓ９６）。さらに、１つのディスプレイに割当てる信号の分担量を、ＵＨ，ＵＶから下記式に基づいたＵＵＨ，ＵＵＶに変更する（Ｓ９７，Ｓ９８）。
【００９７】
ＵＵＶ＝（Ｖ−（ＢＶ１＋ＢＶ２））／（ＭＶ−１）
ＵＵＨ＝（ＵＵＶ／ＵＶ）×ＵＨ
こうして、ＰＨ，ＵＵＨ，ＵＵＶが設定されると、これらを用いて縮小表示上下シフト処理を行い（Ｓ９９：第４の工程）、さらに表示不要ディスプレイの省電力処理を行う（Ｓ１００：第４の工程）。
【００９８】
ここで、縮小表示左右シフト処理および表示不要ディスプレイ省電力処理を図２１のフローチャートを参照して説明する。尚、図２１に示すフローチャートは、図１７に示すフローチャートとほぼ同じ処理が行われるため、異なる部分のみを説明する。
【００９９】
すなわち、図２１のフローチャートでは、図１７のＳ３８〜Ｓ４１の処理に代えてＳ１１１〜Ｓ１１４の処理が行われ、Ｓ４８〜Ｓ５１の処理に代えてＳ１１５〜Ｓ１１８の処理が行われる。言い換えれば、水平ラインの読み込み開始位置Ｈｓｔａｒｔ、読み込み終了位置Ｈｅｎｄ、および垂直ラインの読み込み開始位置Ｖｓｔａｒｔ、読み込み終了位置Ｖｅｎｄを求めるにあたって、ＵＨ，ＵＶの代わりにＵＵＨ，ＵＵＶが用いられる。
【０１００】
また、縮小表示上下シフト処理および表示不要ディスプレイ省電力処理を図２２に示す。図２２のフローチャートでは、図１８のＳ６８〜Ｓ７１の処理に代えてＳ１２１〜Ｓ１２４の処理が行われ、Ｓ７８〜Ｓ８１の処理に代えてＳ１２５〜Ｓ１２８の処理が行われる。すなわち、図１７と図２１との関係と同様に、水平ラインの読み込み開始位置Ｈｓｔａｒｔ、読み込み終了位置Ｈｅｎｄ、および垂直ラインの読み込み開始位置Ｖｓｔａｒｔ、読み込み終了位置Ｖｅｎｄを求めるにあたって、ＵＨ，ＵＶの代わりにＵＵＨ，ＵＵＶが用いられる点のみが異なる。
【０１０１】
〔実施の形態３〕
上記実施の形態１または２において、表示映像をシフトさせた結果表示する映像が無くなったディスプレイは、自動にて省電力あるいは待機モードとなるか、他のディスプレイからの制御により省電力あるいは待機モードとなっても良い。省電力モードとされるディスプレイでは、例えば、電源をオフとすることで消費電力を削減することができる。
【０１０２】
但し、マルチディスプレイにおける上記シフト処理によってマルチ画面用表示映像（マルチディスプレイ全体で表示される表示映像）が存在しなくなったディスプレイは、必ずしも省電力モードとする必要は無く、省電力モードとする代わりに他に入力されている信号を表示することもできる。すなわち、マルチディスプレイで表示している映像以外に入力信号があるものは省電力とせずその入力されている映像信号を表示し、入力がないものは省電力とする、マルチ映像対応のマルチディスプレイが実現可能である。このような表示状態を図２３に示す。
【０１０３】
また、この場合の処理を図２４のフローチャートに示す。すなわち、マルチ画面用表示映像が存在しない各ディスプレイでは、他の映像入力があるか否かが判断される（Ｓ１３１）。そして、他の映像入力があれば、映像入力を切り替え（Ｓ１３２）、その切り替えた映像入力を単独表示する（Ｓ１３３）。他の映像入力が無ければ、そのディスプレイは省電力モードに設定される（Ｓ１４４）。
【０１０４】
また、マルチ画面用表示映像の縦横比が変わり、省電力モードとなっていたディスプレイに表示する映像信号が生じた場合は、再びマルチ画面用の映像信号入力からの信号を使って表示するようにしておくと、マルチ表示用映像信号の動的変化に対応することが可能となる。
【０１０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０６】
本発明は、複数のディスプレイで１つの表示データを表示するマルチディスプレイ装置に利用することができる。
【符号の説明】
【０１０７】
１０    マルチディスプレイ画面
１１    ディスプレイ
１２    無映像表示ディスプレイ
【図１】
0005464594.tif 000004
【図２】
0005464594.tif 000005
【図３】
0005464594.tif 000006
【図４】
0005464594.tif 000007
【図５】
0005464594.tif 000008
【図６】
0005464594.tif 000009
【図７】
0005464594.tif 000010
【図８】
0005464594.tif 000011
【図９】
0005464594.tif 000012
【図１０】
0005464594.tif 000013
【図１１】
0005464594.tif 000014
【図１２】
0005464594.tif 000015
【図１３】
0005464594.tif 000016
【図１４】
0005464594.tif 000017
【図１５】
0005464594.tif 000018
【図１６】
0005464594.tif 000019
【図１７】
0005464594.tif 000020
【図１８】
0005464594.tif 000021
【図１９】
0005464594.tif 000022
【図２０】
0005464594.tif 000023
【図２１】
0005464594.tif 000024
【図２２】
0005464594.tif 000025
【図２３】
0005464594.tif 000026
【図２４】
0005464594.tif 000027
【図２５】
0005464594.tif 000028